(57)【特許請求の範囲】
【請求項１】
外部部材を収容するための収容室を有するベース部材と、前記収容室に対して前記外部部材を挿抜するための開口部をスライド動作を含む操作によって開閉する蓋体と、を備える電子機器であって、
前記ベース部材は、穴部と、前記穴部の周囲から内側へと前記蓋体のスライド方向と平行に突出するように形成された第１の爪部とを有し、
前記蓋体は、前記蓋体をスライド動作させた際に前記第１の爪部と当接して前記第１の爪部に屈曲変位を生じさせる第２の爪部を有し、
前記穴部を塞ぐように、かつ、前記第１の爪部に屈曲変位が生じたときに前記屈曲変位に追従して変位するように、前記第１の爪部にシート状部材が貼り付けられていることを特徴とする電子機器。
【請求項２】
前記外部部材は電池であり、前記収容室は前記電池を収容し、前記蓋体は前記電池を挿抜するための開口部を開閉することを特徴とする請求項１記載の電子機器。
【請求項３】
前記外部部材は記録媒体であり、前記収容室は前記記録媒体を収容し、前記蓋体は前記記録媒体を挿抜するための開口部を開閉することを特徴とする請求項１記載の電子機器。
【請求項４】
前記シート状部材は、前記第１の爪部において前記第２の爪部と当接する面の反対側の面に貼り付けられていることを特徴とする請求項１乃至３のいずれか１項に記載の電子機器。
【請求項５】
前記シート状部材は、前記第１の爪部にのみ固定されていることを特徴とする請求項１乃至４のいずれか１項に記載の電子機器。
【請求項６】
前記シート状部材は、遮光性を有することを特徴とする請求項１乃至５のいずれか１項に記載の電子機器。
【請求項７】
前記穴部は、前記開口部の開閉が可能な位置に前記蓋体をスライドさせた状態において、前記穴部の少なくとも一部が外部に露出する位置に設けられていることを特徴とする請求項１乃至６のいずれか１項に記載の電子機器。
【発明の詳細な説明】
【技術分野】
【０００１】
本発明は、電子機器に関し、特に、電子機器に設けられた蓋部材の開閉操作等の２つの部材を相対的に移動させる操作の際に、使用者にクリック感を与える構造を有する電子機器に関する。
【背景技術】
【０００２】
撮像装置等の電子機器は、電池を収容する電池室を備えており、電池室を開閉する電池蓋に、電池蓋を開閉する際に使用者にクリック感を与える構造を採用したものが知られている。また、本体に二つ折り構造を採用する携帯電話等の電子機器では、本体の開閉時に使用者にクリック感を与える構造が広く採用されている。
【０００３】
このように第１の部材に対して第２の部材を相対的に移動させる際にクリック感を創出するための構造としては、腕部を周囲の形状と一体に形成し、型構造上反対方向に抜く型同士の合わせ部（所謂、食い切り部）に一定幅の貫通穴を設ける構造が知られている。このとき、貫通穴を通して機器内部が露出しないように対策を講じる必要がある。
【０００４】
そこで、第１の部材に対して第２の部材を相対的に移動させるために開口を備える電子機器として、移動操作の際に開口から機器内部が露出してしまわないように、開口部に目隠しシートを設ける構成が提案されている（例えば、特許文献１参照）。
【先行技術文献】
【特許文献】
【０００５】
【特許文献１】特開平６−３１０８７４号公報
【発明の概要】
【発明が解決しようとする課題】
【０００６】
電子機器の一例である撮像装置に設けられた電池室を開閉する蓋部材の操作時にクリック感を創出するための構造に対して目隠しシートを用いた場合について検討する。図８は、撮像装置に設けられた電池室の蓋部材の操作時にクリック感を創出する構造の例を示す断面図である。図９は、撮像装置に設けられた電池室の蓋部材の操作時にクリック感を創出する構造の別の例を示す斜視図である。
【０００７】
図８には、電池室部材２０１に電池２０２を収容する電池室が形成されており、その電池室が電池蓋３０によって閉塞された状態が示されている。電池蓋３０を開けるために電池蓋３０を図左側へスライドさせると、電池蓋の爪部３０ａによってクリック部材２０１ａは図上方へ押し上げられ、爪部３０ａがクリック部材２０１ａの左側へ移動すると、クリック部材２０１ａは図８の状態に戻る。このとき、爪部３０ａとクリック部材２０１ａとの間の力の作用によってクリック感が創出される。
【０００８】
図８の構造では、クリック部材２０１ａの最大可動域でも当接しない平面上にリブ２０１ｃを形成し、リブ２０１ｃ上にシート４０を両面テープ４０ａを用いて貼り付けている。よって、クリック部材２０１ａの最大可動域に加えて、リブ２０１ｃにより占有される空間が必要となるため、撮像装置が大型化してしまうという問題を含む。
【０００９】
図９の構造では、電池を収容する電池室が形成された電池室部材１０１に穴部１０１ｂを形成し、図８のクリック部材２０１ａと同様に穴部１０１ｂにクリック部材１０１ａを形成し、その上方に電池室部材１０１と一体的に目隠しリブ１０１ｃを形成している。この場合も、目隠しリブ１０１ｃを設けるために広い空間が必要となるため、撮像装置が大型化してしまうという問題を含む。
【００１０】
本発明は、機器内部が外部に露出しないようにための目隠しシートが省スペースで配置された、小型化された電子機器を提供することを目的とする。
【課題を解決するための手段】
【００１１】
本発明に係る電子機器は、外部部材を収容するための収容室を有するベース部材と、前記収容室に対して前記外部部材を挿抜するための開口部をスライド動作を含む操作によって開閉する蓋体と、を備える電子機器であって、前記ベース部材は、穴部と、前記穴部の周囲から内側へと前記蓋体のスライド方向と平行に突出するように形成された第１の爪部とを有し、前記蓋体は、前記蓋体をスライド動作させた際に前記第１の爪部と当接して前記第１の爪部に屈曲変位を生じさせる第２の爪部を有し、前記穴部を塞ぐように、かつ、前記第１の爪部に屈曲変位が生じたときに前記屈曲変位に追従して変位するように、前記第１の爪部にシート状部材が貼り付けられていることを特徴とする。
【発明の効果】
【００１２】
本発明によれば、薄い目隠しシートをクリック部材に貼り付けるため、目隠しシートを取り付けるために広い空間を必要とせず、これにより、電子機器を小型化することができる。また、蓋部材の開閉時に開口部が目隠しされることから、優れた防塵性能を得ることができ、蓋部材を開いた状態での美的外観を損なうことがない。
【図面の簡単な説明】
【００１３】
【図１】本発明の実施形態に係る電子機器の一例であるデジタルカメラの正面図及び外観斜視図である。
【図２】図１に示す電池蓋により電池室の電池出し入れ口が閉塞された状態を示素断面図である。
【図３】図２に示す電池蓋を図２に示す状態から図左方向へスライドさせたときのスライド途中の状態を示す断面図である。
【図４】図３に示す状態から更に電池蓋を図左方向へスライドさせてスライド動作が終了した状態を示す断面図である。
【図５】図１に示すベース部材の外観を示す下面図である。
【図６】図１に示すベース部材の外観斜視図である。
【図７】図６に示すベース部材に目隠しシートを貼り付けるための接着部の形状と位置を模式的に示す平面図である。
【図８】撮像装置に設けられた電池室の蓋部材の操作時にクリック感を創出する構造の例を示す断面図である。
【図９】撮像装置に設けられた電池室の蓋部材の操作時にクリック感を創出する構造の別の例を示す斜視図である。
【発明を実施するための形態】
【００１４】
以下、本発明の実施形態いついて、添付図面を参照して詳細に説明する。本実施形態では、本発明に係る電子機器としてデジタルスチルカメラ（以下「デジタルカメラ」と記す）を取り上げることとするが、本発明はこれに限定されるものではない。
【００１５】
図１（ａ）は、本発明の実施形態に係るデジタルカメラ１０の正面図である。また、図１（ｂ）は、デジタルカメラ１０をその底面側から見た外観斜視図であり、デジタルカメラ１０が備える電池蓋２を開いた状態が示されている。
【００１６】
デジタルカメラ１０の正面にはレンズ鏡筒９が配設されている。また、デジタルカメラ１０の下面部には、外部部材を収容する収容室を開閉する蓋体として、デジタルカメラ１０を動作させるための電源である電池３を収容する電池室を開閉する電池蓋２が配設されている。
【００１７】
図１（ｂ）に示すように、電池室はベース部材１（電池室形成部材）によって形成されており、電池蓋２は、電池室に対して電池３を挿抜するための開口部を開閉する。なお、本実施形態では、図１（ｂ）に示すように、電池３として箱形電池を収容する構成としているが、電池３の形状に限定はなく、また、電池３の種類、例えば一次電池であるか二次電池であるか、を問わない。
【００１８】
電池蓋２は、スライド動作と回動動作が可能となるように軸支されている。すなわち、電池蓋２が電池室を閉塞している状態から図１（ａ）左側に一定距離だけスライドさせ、続いて、レンズ鏡筒９側の端部を中心として反時計回りに回動させると、図１（ｂ）に示すように、電池蓋２が開いた状態となる。電池蓋２を閉じるときには、電池蓋２を開けるときとは逆の操作を行えばよい。
【００１９】
図２は、電池蓋２及びその周辺の構造を示す断面図であり、電池蓋２により電池室の電池出し入れ口が閉塞された状態を示している。図３は、電池蓋２を図２に示す状態から図左方向へスライドさせたときのスライド途中の状態を示す断面図である。図４は、電池蓋２を図３に示す状態から更に電池蓋２を図左方向へスライドさせて、スライド動作が終了した状態を示す断面図である。図５は、電池室を有するベース部材１の外観を示す下面図である。
【００２０】
電池蓋２は、図１を参照して説明した通り、電池室に対してスライド及び回動可能に保持されており、電池室の電池出し入れ口を開閉（閉塞／開放）する。図５に示すように、ベース部材１には穴部１ｂが形成されており、穴部１ｂの周囲から穴部１ｂの内側へと、電池蓋２のスライド方向と平行に突出するように第１のクリック爪部１ａ（第１の爪部）が形成されている。第１のクリック爪部１ａの先端は、第１のクリック爪部１ａの根元が固定された状態で、図５が描画されている紙面に垂直な方向（図２乃至図４では図上方向）に変位可能となっている。
【００２１】
第１のクリック爪部１ａの変位について、図２乃至図４を参照して詳細に説明する。第１のクリック爪部１ａと対向するように、電池蓋２の一端には第２のクリック爪部２ａ（第２の爪部）が形成されており、この第２のクリック爪部２ａは、第１のクリック爪部１ａより堅固に構成されている。
【００２２】
デジタルカメラ１０の使用者（以下、単に「使用者」と記す）が、図２の状態から電池蓋２を図左方向にスライドさせようとすると、第２のクリック爪部２ａの左側壁が第１のクリック爪部１ａの右側壁に当接する。これにより、使用者は、電池蓋２を開くために必要な力を重く感じる。
【００２３】
使用者が電池蓋２を更に図左方向にスライドさせると、図３に示されるように、第１のクリック爪部１ａが屈曲変位しながら、電池蓋２は図左方向にスライドする。そして、第２のクリック爪部２ａの先端と第１のクリック爪部１ａの先端とが当接した状態となったときに、第１のクリック爪部１ａの図上方向への変位量は最大となる。第１のクリック爪部１ａが最大変位を示す位置を越えて電池蓋２が図左方向にスライドしたときに、使用者はクリック感を感じる。そして、電池蓋２は最終的に図４に示す位置までスライド可能となっている。図４の状態になると、電池蓋２は不図示の回転軸を中心として図４の図下方向に回動可能となり、図１（ｂ）に示したように、電池３の挿抜が可能な状態となる。
【００２４】
図２乃至図４に示すように、第１のクリック爪部１ａの上面には、接着剤又は両面テープ等の接着部４ａにより、目隠しシート４が貼り付けられている。図６は、目隠しシート４が第１のクリック爪部１ａに貼り付けられた状態にあるベース部材１の外観斜視図である。また、図７は、目隠しシート４に対して形成される接着部４ａの形状と位置を模式的に示す平面図である。
【００２５】
目隠しシート４には、適度な遮光性と美的外観とを備えた、公知で薄形のシート状部材が用いられる。図６に示されるように、目隠しシート４は穴部１ｂを塞ぐように第１のクリック爪部１ａの上面に取り付けられる。そして、図７に示されるように、接着部４ａは、第１のクリック爪部１ａと略同一の領域に形成されている。換言すれば、目隠しシート４は接着部４ａによって第１のクリック爪部１ａにしか塗布されていない。
【００２６】
そのため、図２乃至図４を参照して説明したように、電池蓋２のスライド動作に伴って第１のクリック爪部１ａが屈曲変位するとき、目隠しシート４は第１のクリック爪部１ａの変位に追従して第１のクリック爪部１ａと一体となって変位する。したがって、従来のように目隠しシートを取り付けるためのリブを設けるスペースが不要になり、第１のクリック爪部１ａの移動範囲内を確保した上で、他の部品を避けて目隠しシート４を配置すればよい。これにより、密集した設計が可能となり、電子機器を小型化することができる。
【００２７】
また、電池蓋２の開閉操作の間に、使用者が穴部１ｂを通してデジタルカメラ１０の内部を視認しようとしても、目隠しシート４によって遮られるために、使用者はデジタルカメラ１０の内部を視認することはできない。そのため、穴部１ｂを通して目隠しシート４が見えても、美的外観が損なわれることはなく、使用者は、電池蓋２の開閉操作時にデジタルカメラ１０の本体内部へゴミ等が侵入しはしないであろうか等の不安を抱くことなく、安心感を得ることができる。更に、穴部１ｂは目隠しシート４によって塞がれるために、外部からデジタルカメラ１０の本体内部への埃やゴミ等の異物の侵入を防止するという高い防塵性能を得ることができる。
【００２８】
＜その他の実施形態＞
以上、本発明をその好適な実施形態に基づいて詳述してきたが、本発明はこれら特定の実施形態に限られるものではなく、この発明の要旨を逸脱しない範囲の様々な形態も本発明に含まれる。例えば、上記実施形態では、電子機器として撮像装置を、外部部材として電池を取り上げて、撮像装置の電池蓋を開閉する構造に本発明を適用したが、これに限られるものではない。例えば、外部部材としての各種の記録媒体（メモリカードや光磁気ディスクなど）を格納する格納室に対して設けられる蓋部材を開閉する構造に対しても、本発明を適用することができる。更に、２つの部材を相対的に動かすことで開閉を行う構造部にも適用することができる。
【符号の説明】
【００２９】
１    ベース部材
１ａ    第１のクリック爪部
１ｂ    穴部
２    電池蓋
２ａ    第２のクリック爪部
３    電池
４    目隠しシート
４ａ    接着部
１０    デジタルカメラ
【図１】
0005871639.tif 000002
【図２】
0005871639.tif 000003
【図３】
0005871639.tif 000004
【図４】
0005871639.tif 000005
【図５】
0005871639.tif 000006
【図６】
0005871639.tif 000007
【図７】
0005871639.tif 000008
【図８】
0005871639.tif 000009
【図９】
0005871639.tif 000010